(57)【特許請求の範囲】
【請求項１】
情報入力手段と、ディスプレイと、
タッチパネルを備えた情報処理端末に表示される画面ごとの情報であって、この画面のタッチ位置に応じた上記情報処理端末の処理内容を定義する画面情報を記憶するための画面情報マスタと、
上記画面を構成する画像ファイルを記憶している画像マスタと、
上記画面情報の編集単位であるセルを複数備えたレイアウト枠に上記画像マスタ内の画像ファイルを重ねて上記ディスプレイに表示する画像表示手段と、
上記画像ファイルと重ねて表示されているレイアウト枠内のセルのセル情報を上記情報入力手段から取得し、この取得したセル情報から画面情報を生成して上記画面情報マスタに記憶するセル情報取得手段と、
上記取得したセル情報を記憶するセル情報記憶手段と、
レイアウト枠内のセルのうち、上記セル情報記憶手段にセル情報が記憶されているセルのディスプレイ上での表示形態を、上記セル情報記憶手段にセル情報が記憶されていないセルの表示形態と異ならせる手段と、
を有してなることを特徴とする画面情報編集装置。
【請求項２】
レイアウト枠内の各セルのディスプレイ内での表示の位置と大きさを定義しているレイアウト情報を記憶しているレイアウトマスタをさらに備え、
画像表示手段は、上記レイアウトマスタ内のレイアウト情報に基づいてレイアウト枠をディスプレイに表示する請求項１記載の画面情報編集装置。
【請求項３】
画像表示手段は、レイアウト枠内の各セルの境界線が視認可能となるように、レイアウト枠に画像ファイルを重ねて表示する請求項１記載の画面情報編集装置。
【請求項４】
画像表示手段は、レイアウト枠内のセルのうち情報入力手段により表示位置の移動可能なカーソルの位置のセルが視認可能となるように、レイアウト枠に画像ファイルを重ねて表示する請求項１記載の画面情報編集装置。
【請求項５】
情報入力手段により指定され複写元のセルと複写先のセルとを取得し、上記セル情報記憶手段に記憶されている上記指定された複写元のセルのセル情報を、上記指定された複写先のセルのセル情報として上記セル情報記憶手段に記憶するセル情報複写手段、
をさらに備える請求項１記載の画面情報編集装置。
【請求項６】
情報処理端末と通信ネットワークを介して接続し、
画面情報マスタ内の画面情報を上記通信ネットワークを介して上記情報処理端末に送信する手段をさらに備えた請求項１記載の画面情報編集装置。
【請求項７】
情報処理端末にデータ送信可能なサーバと通信ネットワークを介して接続し、
画面情報マスタ内の画面情報を上記通信ネットワークを介して上記サーバに送信する手段をさらに備えた請求項１記載の画面情報編集装置。
【請求項８】
コンピュータを、請求項１乃至７のいずれかに記載の画面情報編集装置として機能させることを特徴とする画面情報編集プログラム。
【請求項９】
コンピュータプログラムを記憶している記録媒体であって、
コンピュータプログラムは請求項８記載の画面情報編集プログラムであることを特徴とするコンピュータ読取可能な記録媒体。
【請求項１０】
情報入力手段と、ディスプレイと、
タッチパネルを備えた情報処理端末に表示される画面ごとの情報であって、この画面のタッチ位置に応じた上記情報処理端末の処理内容を定義する画面情報を記憶するための画面情報マスタと、
上記画面を構成する画像ファイルを記憶している画像マスタと、
上記情報入力手段から取得したセル情報を記憶するセル情報記憶手段と、
を備えた装置により実行される方法であって、
上記装置が、画面情報の編集単位であるセルを複数備えたレイアウト枠に上記画像マスタ内の画像ファイルを重ねて上記ディスプレイに表示するステップと、
上記装置が、上記画像ファイルと重ねて表示されているレイアウト枠内のセルのセル情報を上記情報入力手段から取得し、この取得したセル情報を上記セル情報記憶手段に記憶するステップと、
上記装置が、上記取得したセル情報から画面情報を生成して上記画面情報マスタに記憶するステップと、
上記装置が、レイアウト枠内のセルのうち、上記セル情報記憶手段にセル情報が記憶されているセルのディスプレイ上での表示形態を、上記セル情報記憶手段にセル情報が記憶されていないセルの表示形態と異ならせるステップと、
を有してなることを特徴とする画面情報編集方法。
【請求項１１】
情報入力手段と、ディスプレイと、
タッチパネルを備えた情報処理端末に表示される画面ごとの情報であって、この画面のタッチ位置に応じた上記情報処理端末の処理内容を定義する画面情報を記憶するための画面情報マスタと、
上記画面を構成する画像ファイルを記憶している画像マスタと、
上記情報入力手段から取得したセル情報を記憶するセル情報記憶手段と、
を備えた装置により実行される方法であって、
上記装置が、画面情報の編集単位であるセルを複数備えたレイアウト枠に上記画像マスタ内の画像ファイルを重ねて上記ディスプレイに表示するステップと、
上記装置が、上記画像ファイルと重ねて表示されているレイアウト枠内のセルのセル情報を上記情報入力手段から取得し、この取得したセル情報を上記セル情報記憶手段に記憶するステップと、
上記装置が、上記取得したセル情報から上記画面情報マスタに記憶する画面情報を生成するステップと、
上記装置が、レイアウト枠内のセルのうち、上記セル情報記憶手段にセル情報が記憶されているセルのディスプレイ上での表示形態を、上記セル情報記憶手段にセル情報が記憶されていないセルの表示形態と異ならせるステップと、
を有してなることを特徴とする画面情報生成方法。
【請求項１２】
情報入力手段と、ディスプレイと、
タッチパネルを備えた情報処理端末に表示される画面ごとの情報であって、この画面のタッチ位置に応じた上記情報処理端末の処理内容を定義する画面情報を記憶するための画面情報マスタと、
上記画面を構成する画像ファイルを記憶している画像マスタと、
上記画面情報の編集単位であるセルを複数備えたレイアウト枠に上記画像マスタ内の画像ファイルを重ねて上記ディスプレイに表示する画像表示手段と、
上記画像ファイルと重ねて表示されているレイアウト枠内のセルのセル情報を上記情報入力手段から取得し、この取得したセル情報から上記画面情報マスタに記憶する画面情報を生成する手段と、
上記情報入力手段から取得したセル情報を記憶するセル情報記憶手段と、
レイアウト枠内のセルのうち、上記セル情報記憶手段にセル情報が記憶されているセルのディスプレイ上での表示形態を、上記セル情報記憶手段にセル情報が記憶されていないセルの表示形態と異ならせる手段と、
を有してなることを特徴とする画面情報生成装置。
【請求項１３】
コンピュータを、請求項１２記載の画面情報生成装置として機能させることを特徴とする画面情報生成プログラム。
【請求項１４】
コンピュータプログラムを記憶している記録媒体であって、
コンピュータプログラムは請求項１３記載の画面情報生成プログラムであることを特徴とするコンピュータ読取可能な記録媒体。
【発明の詳細な説明】
【技術分野】  本発明は、タッチパネル式のディスプレイを備えた情報処理端末に表示される画面の画面情報の編集に関するものである。画面情報とは、情報処理端末のディスプレイに表示された画面ごとの情報であって、画面上のタッチ位置に対応する情報処理端末の処理内容を定義した情報である。
【背景技術】  近年、人件費の抑制や顧客満足度の向上を図るために、飲食店などを中心にセルフオーダーシステムが普及している。セルフオーダーシステムとは、店内に商品のサンプル画像や商品名など（以下、「商品画像」という）を表示するセルフオーダー端末を設置しておき、客にセルフオーダー端末を操作させて商品の注文を受付けるシステムである。これまでにもセルフオーダーシステムに関する技術については、様々な提案がなされている（例えば、特許文献１，２，３，４参照）。
セルフオーダー端末については、客が商品画像の表示されたオーダー画面を見ながら容易に商品を注文することができるように、タッチパネル式のディスプレイを備えたものが提案されている。すなわち、例えば、オーダー画面には複数の商品画像が表示されていて、客がいずれかの商品画像を指でタッチすると、セルフオーダー端末がタッチされた商品画像に対応する商品の注文情報を生成して、店内の厨房端末に送信するというものである（例えば、特許文献５，６参照）。
これまでに提案されているセルフオーダーシステムやセルフオーダー端末に表示されるオーダー画面は、特許文献５の図９や特許文献６の図１２などに記載されているように、商品画像と客が注文可能な商品とが１対１に対応したものである。
このような従来のオーダー画面は、あらかじめ商品画像の表示位置の決まったオーダー画面の雛型を用いて、各表示位置に表示される商品画像と商品を特定する商品コードなどを関連付けて画面情報が作成される。したがって、同じオーダー画面の雛型を用いた場合、同じレイアウトのオーダー画面となってしまう。そのため、例えば、その店のお勧め商品を別の商品と異なるレイアウトで表示するには、レイアウトの異なるオーダー画面の雛型を作成しなければならない。
また、従来のオーダー画面は、一の画面内のタッチ位置に応じて異なる処理をセルフオーダー端末に実行させるには、画面内に複数の商品画像の表示位置を設けて、各表示位置に一の処理を対応付けて定義する必要がある。そのため、例えば、複数の関連商品を一の商品画像として表示させた上で、その一の商品画像上のタッチ位置に応じて別々の商品の注文を受付けることはできない。あるいは、従来のオーダー画面では、例えば、一の商品画像のある部分がタッチされたときはその商品の注文処理を実行させ、同じ商品画像の別の部分がタッチされたときはその商品の関連映像（例えば、調理方法などの動画像）の表示処理を実行させることはできない。
タッチパネル式のディスプレイを備えた情報処理端末については、セルフオーダー端末の他に、自動販売機（例えば、特許文献７参照）やＰＯＳ端末（例えば、特許文献８参照）などもある。
［特許文献１］特開平９−２８８７７２号公報
［特許文献２］特許第３３９１３６９号明細書
［特許文献３］特開２００４−２０６３７５号公報
［特許文献４］特許第３５８２７８２号明細書
［特許文献５］特開平９−１４６７５６号公報
［特許文献６］特許第３５０５４９２号明細書
［特許文献７］特許第３４５６８５２号明細書
［特許文献８］特許第３３８２４７６号明細書
本発明は、前述の従来の実情に鑑みてなされたもので、タッチパネルを備えた情報処理端末に表示される画面の画面情報の編集に関する新規の技術を提供することを目的とする。すなわち、本発明は、編集者がタッチパネルを備えた情報処理端末に表示される画面を構成する画像ファイルを閲覧しながら、その画像ファイルの部分ごとにその部分がタッチされたときの情報処理端末の処理内容を定義することができる画面情報編集装置と方法並びに画面情報編集プログラムと記録媒体を提供することを目的とする。
【発明の開示】
本発明は、複数のセルからなるレイアウト設定画面に商品画像を重ねて表示させた上で、セルごとの設定情報を取得して画面情報を生成することを特徴とする。本発明によれば、オーダー画面に表示させる商品画像に基づいた画面情報を生成することができる。
【図面の簡単な説明】  第１図は、本発明にかかる画面情報編集装置の実施の形態を示すブロック図である。
第２図は、上記装置により編集された画面情報に基づき動作する情報処理端末に表示される画面の例を示す図である。
第３図は、上記装置により編集された画面情報に基づき動作する情報処理端末に表示される画面の別の例を示す図である。
第４図は、上記装置により編集された画面情報に基づき動作する情報処理端末に表示される画面のさらに別の例を示す図である。
第５図は、上記装置により編集された画面情報の例を示す図である。
第６図は、上記第２図の画面を構成する画像ファイルの例を示す図である。
第７図は、上記第３図の画面を構成する画像ファイルの例を示す図である。
第８図は、上記第４図の画面を構成する画像ファイルの例を示す図である。
第９図は、上記装置により実行される本発明にかかる画面情報編集方法の実施の形態を示すフローチャートである。
第１０図は、上記装置が表示するレイアウト枠の例を示す図である。
第１１図は、上記レイアウト枠内の各セルのセルＩＤの例を示す図である。
第１２図は、上記レイアウト枠内の各セルと、上記情報処理端末のディスプレイ上の座標値との対応関係を示す図である。
第１３図は、第１２図の対応関係を表すセル位置情報の例を示す図である。
第１４図は、上記レイアウト枠と上記画像ファイルが重ねて表示されている例を示す図である。
第１５図は、上記レイアウト枠と上記画像ファイルが重ねて表示されている別の例を示す図である。
第１６図は、上記装置が表示するセル情報設定画面の例を示す図である。
第１７図は、上記装置が表示するセル情報設定画面の別の例を示す図である。
第１８図は、セルフオーダーシステムを構成するサーバに記憶される注文管理情報の例を示す図である。
第１９図は、セルフオーダーシステムを構成するサーバに記憶される売上管理情報の例を示す図である。
第２０図は、セルフオーダーシステムを構成するサーバに記憶される商品情報の例を示す図である。
第２１図は、上記セルフオーダーシステムを構成するセルフオーダー端末のブロック構成図である。
【発明を実施するための最良の形態】  以下、図面を参照しながら本発明にかかる画面情報の編集装置と編集方法と編集プログラム、記録媒体、情報処理端末の生産方法の実施の形態について説明する。なお、以下に説明する実施の形態は、飲食店のセルフオーダーシステムを構成するセルフオーダー端末に表示される画面に関する画面情報を編集する場合を例とする。
ここで、画面情報とは、セルフオーダー端末に表示される画面ごとの情報であって、各画面のタッチ位置に応じたセルフオーダー端末の処理内容を定義した情報である。また、画面情報の編集とは、画面情報の登録、変更、削除を意味するものとし、より具体的には画面情報に含まれるセル情報の登録、変更、削除を意味する。画面情報やセル情報の具体的な内容については後述する。
図１は、本発明にかかる画面情報編集装置（以下、「本装置」という）の実施の形態を示すブロック図である。本装置１０は、セルフオーダーシステムを構成するサーバ２０と通信回線を介して接続している。通信回線の例としては、専用線、公衆交換電話網（ＰＳＴＮ）、無線電話網、ＣＡＴＶ網、衛星通信網等がある。セルフオーダーシステムについては後述するが、サーバ２０のほかに、セルフオーダー端末３０、厨房端末４０、会計端末５０、店員端末６０から構成されている。なお、後述するように、本装置１０がサーバ２０と接続するのは、編集した画面情報を送信する際のみでよい。
本装置は、後述する本発明にかかる画面情報編集方法（以下、「本方法」という）を実行できる情報処理装置であればよく、例えば、パーソナルコンピュータなどを用いることができる。
本装置１０では、本発明にかかる画面情報編集プログラム（以下、「本プログラム」という）が動作して本装置１０内の各手段を制御することで本方法を実現する。なお、本プログラムを記録したコンピュータ読取可能な記録媒体（以下、「本記録媒体」という）を用いれば、例えば、汎用コンピュータを本装置と同様に機能させることができる。すなわち、汎用コンピュータが本記録媒体から本プログラムを読み取り実行すれば、この汎用コンピュータ上で本方法を実現することができる。
図２〜４は、セルフオーダー端末３０のディスプレイ３１に表示される画面の例を示す図である。セルフオーダー端末３０は、ディスプレイ３１上にタッチパネル３２を備え、本装置１０により編集された画面情報を参照しながら、ディスプレイ３１に表示された画面のタッチ位置に応じた処理を実行するように構成されている。
図２は、セルフオーダー端末３０の初期画面である。初期画面Ｆ１には、客が指でディスプレイ３１をタッチすることで、所望の処理を選択することができる４つのエリアＡ１１，Ａ１２，Ａ１３，Ａ１４が表示されている。各エリアには、ボタンを模した図柄と、それぞれ「注文」「精算」「呼出」「ゲー厶」の文字が表示されている。セルフオーダー端末３０は、エリアＡ１１がタッチされると「注文処理」、エリアＡ１２がタッチされると「精算処理」、エリアＡ１３がタッチされると「呼出処理」、エリアＡ１４がタッチされると「コンテンツ処理」を実行するように構成されている。各処理の内容について後述する。
図３は、図２に示す初期画面Ｆ１のエリアＡ１１がタッチされたときに表示される商品選択画面Ｆ２である。商品選択画面Ｆ２には、「ソーセージ」の画像Ａ２１、「ビール」の画像Ａ２２、「初期画面」の文字列Ａ２３が表示されている。セルフオーダー端末３０は、画像Ａ２１や画像Ａ２２、またはその近傍がタッチされると「ソーセージ」または「ビール」の注文確認画面を表示する。また、セルフオーダー端末３０は、文字列Ａ２３がタッチされると、図２に示す初期画面Ｆ１を表示する。
図４は、図３に示す商品選択画面Ｆ２の画像Ａ２１の近傍がタッチされたときに表示される注文確認画面Ｆ３である。注文確認画面Ｆ３には、注文商品の商品名欄Ｕ３１と注文個数欄Ｕ３２、及び、３つのエリアＡ３１，Ａ３２，Ａ３３が表示されている。商品名欄Ｕ３１には、図３の商品選択画面Ｆ２で画像Ａ２１またはその近傍がタッチされたときには「ソーセージ」の文字列が表示され、画像Ａ２２の近傍がタッチされたときには「ビール」の文字列が表示される。また、各エリアには、ボタンを模した図柄と、各図柄には「＋」「−」「確定」の文字が表示されている。セルフオーダー端末３０は、エリアＡ３１またはＡ３２がタッチされると、注文個数欄Ｕ３２に表示されている数値を増減するように構成されている。また、セルフオーダー端末３０は、エリアＡ３３がタッチされると、注文情報をサーバ２０に送信するように構成されている。送信される注文情報には、商品名欄Ｕ３１に表示されている商品に関する商品ＩＤと、注文個数欄Ｕ３２に表示されている数値（注文点数）が含まれる。
（本装置について）
本装置１０は、図１に示すように、レイアウト設定画面表示手段１１，画像表示手段１２，セル情報取得手段１３，画面情報出力手段１４，情報表示手段１５，情報入力手段１６と，画面情報マスタＭ１，画像マスタＭ２，レイアウトマスタＭ３とを有してなる。情報表示手段１５の例としてはディスプレイ，情報入力手段１６の例としてはキーボードやマウスがある。
画面情報マスタＭ１は、本装置１０が編集した画面情報を記憶する手段である。画面情報のファイル形式にはＣＳＶ形式などがある。図５は、画面情報マスタＭ１内に記憶されている画面情報の例を示す図である。画面情報には画像ファイルのファイル名とセル情報が含まれる。画像ファイルとは、セルフオーダー端末３０のディスプレイ３１に表示される画面を構成する電子ファイルである。また、セル情報とは、セルごとの情報であって、画面内でそのセルに相当する位置がタッチされたときのセルフオーダー端末３０の処理内容などを含む。
画像マスタＭ２は、画像ファイルを記憶する手段である。セルフオーダー端末３０は、画像マスタＭ２から画像ファイルを読み出してディスプレイ３１に表示する。画像ファイルのファイル形式にはＪＰＥＧ形式、ＧＩＦ形式、ＢＭＰなどがある。
図６〜８は、画像マスタＭ２に記憶されている画像ファイルの例である。図６の画像ファイルＱ１は図２の初期画面Ｆ１に、図７の画像ファイルＱ２は図３の商品選択画面Ｆ２に、図８の画像ファイルＱ３は図４の注文確認画面Ｆ３に、それぞれ対応する。ここで、図２の初期画面Ｆ１は、画像ファイルＱ１がそのまま表示されている。また、図３の商品選択画面Ｆ２は、画像ファイルＱ２上に「初期画面」の文字が重ねて表示されている。この「初期画面」の文字の表示位置などは、商品選択画面Ｆ２の画面情報に定義されている。さらに、図４の注文確認画面Ｆ３は、画像ファイルＱ３の商品名欄Ｕ３１に「ソーセージ」の文字、注文個数欄Ｕ３２に「１」の文字、がそれぞれ挿入されて表示されている。「挿入されて表示」とは、もともと画像ファイルの一部が空欄となっていて、その部分にセルフオーダー端末３０内のプログラ厶が所定の文字を表示することを意味する。なお、後述するように、商品名欄Ｕ３１に挿入される文字は、商品選択画面Ｆ２の画面情報に定義されている商品ＩＤをもとに検索されたものである。また、注文個数欄Ｕ３２に挿入される文字は、注文確認画面Ｆ３の画面情報に定義されている。
レイアウトマスタＭ３は、レイアウト情報を記憶する手段である。レイアウト情報のファイル形式にはＣＳＶ形式などがある。レイアウト情報については後述する。
図９は、本方法の実施の形態を示すフローチャートである。
以下、本装置１０の操作者（以下、「編集者」という）が図３に示す商品選択画面Ｆ２の画面情報を編集する場合を例に、本発明について説明する。
本装置１０は、レイアウト設定画面表示手段１１を用いて、レイアウトマスタＭ３からレイアウト情報を読み出し、レイアウト設定画面をディスプレイ１５に表示する（Ｓ１）。
図１０は、ディスプレイ１５に表示されたレイアウト設定画面の例を示す図である。レイアウト設定画面Ｐ１には、図中太線で示されたレイアウト枠Ｌ１が表示されていて、レイアウト枠Ｌ１内には９６個（縦１２個×横８個）のセルが表示されている。セルとは、画面情報の編集単位である。また、レイアウト情報とは、レイアウト枠Ｌ１内の各セルのディスプレイ１５内での表示の位置と大きさなどを定義している情報であり、例えば、「レイアウト枠の縦方向の長さ」、「レイアウト枠の横方向の長さ」、「縦方向のセルの数」、「横方向のセルの数」などからなる。なお、レイアウトマスタＭ３には、レイアウト枠の大きさや、ディスプレイ１５内でのレイアウト枠内のセルの表示位置や大きさの異なる複数のレイアウト情報が記憶されていて、本装置１０は、編集者が選択したレイアウト情報に基づいたレイアウト設定画面をディスプレイ１５に表示する。編集者にレイアウト情報を選択させるには、例えば、各レイアウト情報に識別子（「ドリンクオーダー画面用」「中分類商品用」「サブメニュー表示用」など）を付与しておき、ディスプレイ１５にレイアウト情報の識別子の一覧を表示して、その中から編集者に選択させるなどの方法がある。
編集者は、レイアウト枠Ｌ１をセルフオーダー端末３０のディスプレイ３１と見立てて、セルごとにその位置がタッチされたときのセルフオーダー端末３０の処理内容を編集する。セルフオーダー端末３０の処理内容には「画面表示処理」「注文処理」「精算処理」「呼出処理」「コンテンツ処理」などがある。
なお、レイアウト設定画面Ｐ１には、レイアウト枠Ｌ１の他に、画面情報を編集する際にマウスなどで選択可能なボタンＢ１１，Ｂ１２，Ｂ１３が表示されている。各ボタンが選択されたときの本装置１０の動作については後述する。
レイアウト枠Ｌ１内の各セルにはセルＩＤが付与されている。図１１は、セルＩＤの例を示す図であり、セルＩＤが行番号と列番号の組合せで構成されていることを示している。すなわち、例えば、３行目で７列目に位置するセルのセルＩＤは（３，７）である。
図１２は、本装置１０のディスプレイ１５に表示されるレイアウト枠Ｌ１内のセルと、セルフオーダー端末３０のディスプレイ３１上の座標値との対応関係を示した図である。例えば、セルＩＤ（１，１）のセルと、ディスプレイ３１上の位置情報（Ｘ座標値，Ｙ座標値）との対応関係は
Ｘ０≦Ｘ座標値＜Ｘ１，Ｙ０≦Ｙ座標値＜Ｙ１
であることを示している。ここで、座標値（Ｘ０，Ｙ０），（Ｘ１，Ｙ１）は、それぞれセルＩＤ（１，１）の始点座標値，終点座標値という。
図１３は、セルフオーダー端末３０が備えるセル位置情報記憶手段に記憶されているセル位置情報の例を示す図である。セル位置情報は、レイアウト枠Ｌ１内の各セルの始点座標値と終点座標値とを含む。セルフオーダー端末３０は、後述するように、ディスプレイ３１のタッチ位置を特定した上で、タッチ位置の位置情報（Ｘ座標値，Ｙ座標値）をもとにセル情報を検索して処理内容を特定するように構成されている。すなわち、例えば、ディスプレイ３１のタッチ位置の位置情報（Ｘ座標値，Ｙ座標値）が、
Ｘ０≦Ｘ座標値＜Ｘ１，Ｙ０≦Ｙ座標値＜Ｙ１      （判定式１）
の関係を満たすとき、セルフオーダー端末３０は、セル位置情報記憶手段を参照してセルＩＤ（１，１）を特定し、セルＩＤ（１，１）のセル情報を検索する。
ただし、セルフオーダー端末３０がセルＩＤ（１，１）に設定されている処理内容を実行する際のタッチ位置の判定式は、判定式１に代えて、判定式２〜６などを用いるようにしてもよい。
Ｘ０＜Ｘ座標値≦Ｘ１，Ｙ０＜Ｙ座標値≦Ｙ１      （判定式２）
Ｘ０≦Ｘ座標値≦Ｘ１，Ｙ０≦Ｙ座標値≦Ｙ１      （判定式３）
Ｘ０＜Ｘ座標値＜Ｘ１，Ｙ０＜Ｙ座標値＜Ｙ１      （判定式４）
Ｘ０≦Ｘ座標値＜Ｘ１，Ｙ０＜Ｙ座標値≦Ｙ１      （判定式５）
Ｘ０＜Ｘ座標値≦Ｘ１，Ｙ０≦Ｙ座標値＜Ｙ１      （判定式６）
なお、図１０に示すレイアウト枠Ｌ１に含まれる９６個のすべてのセルは、形状、模様、色彩および大きさのいずれもが同一であるが、本発明においてはレイアウト枠内の各セルの形態（形状、模様、色彩、大きさ）が同一である必要はない。すなわち、例えば、レイアウト枠内に３つのセルが含まれているときに、３つのセルの形態が互いに異なるものであってもよいし、あるいは、２つのセルの形態が同一で残りの１つのセルの形態のみが異なるものであってもよい。
また、図１０に示すレイアウト枠Ｌ１に含まれる９６個のセルはすべて隙間なく並べて配置されているが、レイアウト枠内のセル同士が間隔を空けて配置されていてもよい。
図９に戻る。
本装置１０は、画像表示手段１２を用いて、レイアウト枠に画像ファイルを重ねてディスプレイ１５に表示する。すなわち、先ず、本装置１０は、編集者が選択した図７に示す画像ファイルＱ２を画像マスタＭ２から読み出す（Ｓ２）。編集者に画像ファイルＱ２を選択させるには、例えば、本装置１０が画像マスタＭ２に記憶されている画像ファイルのファイル名の一覧をディスプレイ１５上に表示して、編集者に所望のファイル名を選択させるなどの方法がある。画像ファイルのファイル名は、本装置１０内のファイル名記憶手段（図示省略）に記憶される。
次に、本装置１０は、読み出した画像ファイルＱ２をレイアウト枠Ｌ１に重ねて表示する（Ｓ３）。
ここで、「レイアウト枠Ｌ１に画像ファイルＱ２を重ねてディスプレイ１５に表示する」とは、編集者がセルディスプレイ１５に表示されている画像ファイルＱ２を見ながらレイアウト枠Ｌ１内の所望のセルを選択してセル情報を入力することができるように、レイアウト枠Ｌ１と画像ファイルＱ２を表示することを意味する。
なお、「レイアウト設定画面Ｐ１と画像ファイルＱ２を重ねて表示する」には、例えば、図１４に示すように画像ファイルＱ２上にレイアウト枠Ｌ１内の各セルの境界線を編集者が視認可能となるように表示する方法がある。また、別の表示方法としては、図１５に示すように、マウス１６により表示位置の移動可能なカーソルＲを画像ファイルＱ２上に表示させ、レイアウト枠Ｌ１内のセルのうちカーソルＲの位置のセルＣを編集者が視認可能となるように表示する方法がある。
また、本装置１０は、図示しない手段を用いて、レイアウト設定画面Ｐ１と画像ファイルＱ２を重ねて表示させた際に、セル情報が入力済のセル（つまり、セル情報記憶手段にセル情報が記憶されているセル）と未入力のセル（つまり、セル情報記憶手段にセル情報が記憶されていないセル）のディスプレイ１５上での表示形態を異なるように表示させてもよい。すなわち、例えば、入力済のセルの色と、未入力のセルの色を変えて表示することで、編集者に未入力のセルを容易に特定させることができる。
なお、レイアウト設定画面Ｐ１と画像ファイルＱ２を重ねて表示するのに、図９中のＳ１とＳ２の処理の順序を逆にして、画像ファイルＱ２を取得してディスプレイ１５に表示させた後にレイアウト設定画面Ｐ１をディスプレイ１５に表示させてもよい。
また、図１４は、画像ファイルＱ２の大きさとレイアウト枠Ｌｌの大きさが一致している、つまり、画像ファイルＱ２の全体がレイアウト枠Ｌ１内に収まっている例を示している。しかし、本発明においては、必ずしも画像ファイルとレイアウト枠の大きさが一致する必要はない。すなわち、例えば、レイアウト枠内には画像ファイルの一部のみが表示されるものであってもよいし、あるいは、レイアウト枠内の一部に画像ファイルが表示されるものであってもよい。
ここで、図１４は、説明の便宜上、レイアウト枠Ｌｌ内の各セルの大きさとディスプレイ１５の大きさの比率は、大きめに記載している。レイアウト枠内のセルは画面情報の編集単位であるから、レイアウト枠内のセルが小さいほど、より詳細なセルフオーダー端末３０の処理内容を定義することができる。
図９に戻る。
本装置１０は、セル情報取得手段１３を用いて、セル情報を取得し、画面情報マスタＭ１に記憶する（Ｓ４）。
ここで、本装置１０がセル情報を取得する方法について説明する。
本装置１０は、編集者がセルを選択する（例えば、編集者がマウス１６で所望のセルを選択して右クリックをする）と、選択されたセルＩＤを本装置１０内のセル情報記憶手段（図示省略）に記憶した上で、セル情報を編集するためのセル情報設定画面をディスプレイ１５に表示する。図１６，図１７はセル情報設定画面の例を示す図である。編集者は、セル情報設定画面に処理内容を入力（選択）することができるほか、処理内容に応じた情報も入力することができる。
編集者は、レイアウト設定画面Ｐ１を用いてセル情報を入力する。すなわち、例えば、図１４に示すレイアウト枠Ｌ１と画像ファイルＱ２の例であれば、編集者は、キーボードやマウスなどを用いて、レイアウト枠Ｌ１内のセルのうち、画像ファイルＱ２内の「ソーセージ」の画像と重なるセルを選択してセル情報を入力する。
図１６は、セルＣ１のセル情報として、処理内容「注文処理」、商品ＩＤ「Ｇ０２」、画面ＩＤ「Ｍ３０」などが入力されていることを示している。すなわち、このセル情報によれば、セルフオーダー端末３０は、ディスプレイ３１に表示された画像ファイルＱ２のセルＣ１に相当する範囲がタッチされたとき、画面ＩＤ「Ｍ３０」の画面を表示すると共に、商品ＩＤ「Ｇ０２」の注文処理を行う。注文処理については後述する。
また、図１７は、セルＣ２のセル情報として、処理内容「画面表示処理」、画面ＩＤ「Ｍ００」、フォントサイズ「２４Ｐ」、表示文字「初期画面」、テキスト枠「有」などが入力されていることを示している。すなわち、このセル情報によれば、セルフオーダー端末３０は、画像ファイルＱ２をディスプレイ３１に表示する際に、セルＣ２に相当する位置に文字「初期画面」をテキスト枠付きでフォントサイズ「２４Ｐ」で表示する。また、セルフオーダー端末３０は、ディスプレイ３１に表示された画像ファイルＱ２のセルＣ２に相当する範囲がタッチされたとき、画面ＩＤ「Ｍ００」の画面をディスプレイ３１に表示する。
なお、ディスプレイ１５上で編集者がセルを選択したとき、選択されたセルと選択されていないセルとを識別可能とするために、選択されたセルの形態、例えば色を変化させて表示させてもよい。
編集者がセル情報を入力した後にセル情報設定画面Ｐ２内の「確定」ボタンＢ２２を選択する、つまりマウス１６でクリックすると、セル情報設定画面Ｐ２の表示が消え、ディスプレイ１５にはレイアウト設定画面Ｐ１のみが表示された状態に戻る。その際、セル情報設定画面Ｐ２内に入力されたセル情報は、先に記憶されていたセルＩＤと共にセル情報記憶手段に記憶される。ここで、編集者がレイアウト設定画面Ｐ１内の「確定」ボタンＢ１３を選択すると、セル情報記憶手段に記憶されているセル情報から画面情報が生成されて画面情報マスタＭ１に記憶される。
図５に示すように、画面情報には、画面を特定する画面ＩＤと、その画面の画像ファイルのファイル名と、セル情報などが含まれる。また、セル情報には、セルＩＤ、処理内容、商品ＩＤ、画面ＩＤ、コンテンツＩＤ、テキスト、などが含まれる。なお、画面情報に含まれる画面ＩＤは、例えば、本装置１０がレイアウト設定画面Ｐ１をディスプレイ１５に表示する際に、編集者がキーボード１６などを用いて指定できるようにしておくとよい。編集者が指定した画面ＩＤは、本装置１０内の画面ＩＤ記憶手段（図示省略）に記憶される。
レイアウト設定画面Ｐ１の「確定」ボタンＢ１３が選択されると、セル情報記憶手段に記憶されているセル情報から画面情報が生成されて、画面情報マスタＭ１に記憶される。生成される画面情報には、前述のファイル名記憶手段内のファイル名と、画面ＩＤ記憶手段内の画面ＩＤとが含まれる。
なお、セル情報設定画面Ｐ２の「確定」ボタンＢ１４が選択されてレイアウト設定画面Ｐ１がディスプレイ１５に表示されている状態で「プレビュー」ボタンＢ１１が選択されると、本装置１０は、セル情報記憶手段に記憶されているセル情報に基づいてディスプレイ１５に編集中の画面を表示する。例えば、図１５に示したセル情報の入力後に「プレビュー」ボタンＢ１１が選択されたとき、本装置１０は、画像ファイルＱ２に文字列「初期画面」を重ねてディスプレイ１５に表示する。編集者は、プレビュー画面を閲覧することで、セル情報として入力された文字列と画像ファイルとの位置関係などを確かめることができる。
また、レイアウト設定画面Ｐ１内のセルが選択された状態で「設定情報削除」ボタンＢ１２が選択されると、選択されたセルに関するセル情報がセル情報記憶手段から削除される。
なお、レイアウト枠内のセルの大きさが小さいほど、セルフオーダー端末３０に表示される画面内のタッチ位置によるセルフオーダー端末３０の処理内容を細かく定義することができる。その一方で、レイアウト枠内のセルの数が多くなると、セル情報の編集作業の負担は大きくなる。
そこで、本装置１０は、セル情報の複写機能を備えていてもよい。セル情報の複写機能とは、セル情報記憶手段に記憶されているセルのセル情報を、別のセルのセル情報としてセル情報記憶手段に記憶する機能である。すなわち、例えば、図５は、画面ＩＤ「Ｍ２０」のセルＩＤ（７，４）、（８，４）、（８，５）のセル情報がセルＩＤ（７，３）のセル情報と同一であることを示している。つまり、これら４つのセルの位置がタッチされたときのセルフオーダー端末３０の処理内容が同一であることを意味する。編集者は、これら４つのセルのセル情報として同一の内容を入力する必要がある。このような場合に、以下に説明するセル情報の複写機能を利用すれば、編集作業の効率を上げることができる。
本装置１０は、セル情報複写手段（図示省略）により、編集者に入力済のセルＩＤ（７，３）のセルを複写元のセル、未入力または入力済のセルＩＤ（７，４）、（８，４）、（８，５）を複写先のセルとして指定させる。編集者に複写元と複写先のセルを指定させるには、画像ファイルとレイアウト枠が重ねて表示された状態で、レイアウト枠内のセルをマウス１６でクリックさせて選択させる方法などがある。
前述のとおり入力済のセル情報は、セル情報記憶手段に記憶されている。本装置１０は、セル情報複写手段により、セル情報記憶手段に記憶されている複写元のセルＩＤ（７，３）のセル情報を、複写先のセルＩＤ（７，４）、（８，４）、（８，５）のセル情報としてセル情報記憶手段に記憶する。
本装置１０は、前述のとおり、編集者がレイアウト設定画面Ｐ１内の「確定」ボタンＢ１３を選択すると、セル情報記憶手段内のセル情報から画面情報を生成して画面情報マスタＭ１に記憶する。
このセル情報の複写機能によれば、レイアウト枠内の複数のセルに同一のセル情報を入力する場合の、編集作業ミスの回避、編集作業の労力軽減、編集作業時間の短縮化、などを図ることができる。
図９に戻る。
本装置１０は、画面情報出力手段１４を用いて、画面情報マスタＭ１に記憶されている画面情報を出力する（Ｓ５）。図１は、本装置１０が画面情報マスタＭ１内に記憶されている画面情報をサーバ２０に送信する例を示している。サーバ２０は、後述するように、本装置１０から受信した画面情報をセルフオーダー端末３０に送信する。ただし、本装置１０は、サーバ２０を介さずに、直接セルフオーダー端末３０に画面情報を送信するようにしてもよい。
なお、本装置１０による画面情報の出力の態様には、通信回線を介して別の情報処理装置に送信する他、ＣＤ−ＲＯＭなどの本装置１０の外部記憶装置に記憶するなどがある。この場合、セルフオーダー端末３０あるいはサーバ２０は、外部記憶装置から画面情報を読み出して記憶する。
以上説明したように、本装置１０は、レイアウト枠Ｌ１に画像ファイルＱ２を重ねて表示した上で、レイアウト枠Ｌ１内の各セルのセル情報を取得する構成としている。この構成によれば、編集者は、セルフオーダー端末３０のディスプレイ３１に実際に表示される画像ファイルを閲覧しながら、その画像ファイルのタッチ位置ごとにセルフオーダー端末３０の処理内容を定義することができる。すなわち、本発明によれば、１の画像ファイルに対して複数の処理内容を含む画面情報を編集することができ、例えば、セルフオーダー端末３０に表示された画面が１の画像ファイルで構成されていても、その画像ファイルのタッチ位置に応じて異なる処理をセルフオーダー端末３０に実行させる画面情報を編集することができる。
以下、本装置１０により編集された画面情報とセルフオーダーシステムとの関係について説明する。
（セルフオーダーシステムについて）
セルフオーダーシステムは、図１に示すように、セルフオーダー端末３０，厨房端末４０，会計端末５０、店員端末６０が通信回線を介してサーバ２０と接続している。セルフオーダー端末３０は、サーバ２０を介して厨房端末４０、会計端末５０、店員端末６０と情報の送受信が可能となるように構成されている。
（サーバについて）
サーバ２０は、セルフオーダーシステム全体の情報処理を管理する情報処理装置であって、注文管理情報データベースＤＢ２１，売上管理情報データベースＤＢ２２，画面情報マスタＭ２１，画像マスタＭ２２，コンテンツマスタＭ２３，商品マスタＭ２４を備える。サーバ２０は、セルフオーダー端末３０と、厨房端末４０や会計端末５０との間の情報交換を実現できる装置であればよく、例えば、パーソナルコンピュータなどで実現されている。
注文管理情報データベースＤＢ２１は、店内のセルフオーダー端末ごと、つまり店内のテーブルごとの注文情報を記憶するデータベースである。注文情報には、例えば、客が注文した商品を特定する商品ＩＤ、注文点数、注文時刻や、注文した商品ごとの調理状況や配膳完了の有無に関する情報が含まれる。
図１８は、注文管理情報データベースＤＢ２１に記憶されている注文情報の例を示す図である。例えば、図中１行目は、テーブル番号「Ｔ０１」から商品ＩＤ「Ｇ２１」の商品が「４」点、２００５年３月８日１７時０５分に注文され、テーブルへの配膳も完了していることを示している。
売上管理情報データベースＤＢ２２は、セルフオーダー端末ごとの売上情報を記憶するデータベースである。売上情報には、代金合計額などが含まれる。図１９は、売上管理情報データベースＤＢ２２に記憶されている売上情報の例を示す図であり、例えば、テーブル番号「Ｔ０１」の代金合計額が「１３，８００円」であることを示している。
商品マスタＭ２４は、セルフオーダー端末３０で注文可能な商品ごとの商品情報を記憶している手段である。商品情報には、商品名や単価などが含まれる。図２０は、商品マスタＭ２４に記憶されている商品情報の例を示す図であり、例えば、商品ＩＤ「Ｇ０１」は、商品名が「ソーセージ」で単価が「８００円」であることなどを示している。
なお、図１９に示す代金合計額は、図１８に示した注文管理情報データベースＤＢ２１に記憶されているテーブル番号ごとの注文情報に含まれる商品ＩＤと注文点数、並びに商品マスタＭ２４に記憶されている単価から算出されている。
画面情報マスタＭ２１は、本装置１０で編集された画面情報を記憶する手段である。画像マスタＭ２２は、セルフオーダー端末３０のディスプレイ３１に表示される画像ファイルを記憶する手段である。コンテンツマスタＭ２３は、セルフオーダー端末３０に表示されるコンテンツを記憶する手段である。コンテンツとは、画像（静止画、動画）、音声、テキストなどの電子情報である。また、コンテンツの内容には、例えば、店舗や商品などの宣伝（コマーシャル：ＣＭ）、ゲーム、占いなどがある。各コンテンツにはコンテンツＩＤが付与されている。コンテンツＩＤの例としては、コンテンツの電子情報のファイル名などがある。
（厨房端末について）
厨房端末４０は、店内の厨房に設置された情報処理端末であって、客がセルフオーダー端末３０を操作して商品を注文すると、その注文内容、例えば、商品名と注文個数がテーブル番号と共に表示されるように構成されている。
（会計端末について）
会計端末５０は、店内のレジ端末であって、客がセルフオーダー端末３０を操作して注文した商品の代金を表示するように構成されている。
（店員端末について）
店員端末６０は、店員が操作する情報処理端末であって、客がセルフオーダー端末３０を操作して店員の呼出を行うと、テーブル番号と共に客が呼んでいる旨が表示される。また、店員は、調理済みの料理を厨房からテーブルに配膳後、店員端末６０を操作してその旨をサーバ２０に送信する。
（セルフオーダー端末について）
セルフオーダー端末３０は、客自身が操作する情報処理端末であって、店内のテーブルごとに配置されている。セルフオーダー端末３０は、テーブル番号を記憶するためのテーブル番号記憶手段（図示省略）を有してなる。セルフオーダー端末３０は、例えば、テーブルごとに設けられた置き台にセルフオーダー端末３０がセットされた際に、あらかじめ置き台に設定されているテーブル番号を読み取り、テーブル番号記憶手段に記憶する。置き台に設定されているテーブル番号は、店内のテーブルごとに異なる番号である。セルフオーダー端末３０からサーバ２０に送信される通信データには、テーブル番号が含まれていて、サーバ２０は、受信した通信データに含まれるテーブル番号を読み取ることで、どのテーブルからの通信データであるかを特定することができる。
図２１は、セルフオーダー端末３０のブロック構成図である。セルフオーダー端末３０は、ディスプレイ３１、タッチパネル３２、タッチパネル制御部３３、表示処理部３４、画面制御部３５、注文処理部３６、精算処理部３７、呼出処理部３８と、画面情報マスタＭ３１、画像マスタＭ３２、コンテンツマスタＭ３３、商品マスタＭ３４、注文情報データベースＤＢ３１の各手段を有してなる。
画面情報マスタＭ３１は、本装置１０により編集された画面情報を記憶する手段である。画像マスタＭ３２は、画像ファイルを記憶する手段である。コンテンツマスタＭ３３は、コンテンツを記憶する手段である。また、注文情報データベースＤＢ３１は、セルフオーダー端末３０が生成した注文情報を記憶する手段である。
セルフオーダー端末３０は、電源が入力されると図示しない手段を用いて、各マスタＭ３１，Ｍ３２，Ｍ３３，Ｍ３４内に記憶する情報の要求情報をサーバ２０に送信する。要求情報を受信したサーバ２０は、各マスタＭ２１，Ｍ２２，Ｍ２３，Ｍ２４内の情報をセルフオーダー端末３０に送信する。セルフオーダー端末３０は、サーバ２０から受信した情報を各マスタＭ３１，Ｍ３２，Ｍ３３，Ｍ３４に記憶する。
なお、サーバ２０が各マスタ内の情報をセルフオーダー端末３０に送信するのは、セルフオーダー端末３０から要求情報を受信した場合に限らない。すなわち、例えば、サーバ２０のマスタ内の情報が更新された際に、セルフオーダー端末３０からの要求情報を受信することなく、サーバ２０が更新された情報のみまたはマスタ内の全部の情報をセルフオーダー端末３０に送信するようにしてもよい。
以下、図２〜４に示した画面例を参照しながら、ディスプレイ３１がタッチされたときにセルフオーダー端末３０が実行する「画面表示処理」「注文処理」「精算処理」「呼出処理」「コンテンツ処理」の各処理について説明する。ここで、図２の初期画面Ｆ１の画面ＩＤは「Ｍ１０」、図３の商品選択画面Ｆ２の画面ＩＤは「Ｍ２０」、図４の注文確認画面Ｆ３の画面ＩＤは「Ｍ３０」とする。また、図６の画像ファイルＱ１のファイル名は「Ｔｏｐ．ｊｐｇ」、図７の画像ファイルＱ２のファイル名は「Ｓａｕｓａｇｅ．ｊｐｇ」、図８の画像ファイルＱ３のファイル名は「Ｏｒｄｅｒ．ｊｐｇ」とする。
なお、セルフオーダー端末３０は、ディスプレイ３１がタッチされたとき、タッチパネル３２がタッチ位置を検出して、検出情報をタッチパネル制御部３３に通知する。タッチ位置の検出方式には、抵抗膜方式（アナログ抵抗膜方式）、超音波表面弾性波方式、赤外線遮光方式、静電容量方式、電磁誘導方式などがある。タッチパネル制御部３３は、タッチパネル３２から通知された検出情報に基づいてタッチ位置の位置情報（Ｘ座標値とＹ座標値）を特定し、画面制御部３５に通知する。画面制御部３５は、図１３に示した始点および終点の座標値とセルＩＤとの対応表を参照して、タッチパネル制御部３３から通知された位置情報に対応するセルＩＤを特定する。さらに、画面制御部３５は、画面ＩＤ記憶手段に記憶されている画面１Ｄと特定したセルＩＤに対応するセル情報を、画面マスタＭ３２から検索する。そして、画面制御部３５は、検索されたセル情報から処理内容を特定して各処理部に処理依頼を通知する。
（画面表示処理について）
図２に示す初期画面Ｆ１のエリアＡ１１がタッチされると、画面制御部３５は、画面情報マスタＭ３１内の初期画面Ｆ１の画面情報を参照して、タッチ位置に相当するセルのセル情報を検索する。ここでは、処理内容「画面表示処理」や画面ＩＤ「Ｍ２０」などが検索されたとする。画面制御部３５は、検索された画面ＩＤ「Ｍ２０」の画面情報を参照して、画像ファイルのファイル名「Ｓａｕｓａｇｅ．ｊｐｇ」を画面情報マスタＭ３１から検索する。さらに、画面制御部３５は、検索されたファイル名「Ｓａｕｓａｇｅ．ｊｐｇ」の画像ファイルＱ２を画像マスタＭ３２から検索して、表示処理部３４に通知する。表示処理部３４は、画面制御部３５から通知された画像ファイルＱ２をディスプレイ３１に表示する。ディスプレイ３１には、図３に示した商品選択画面Ｆ２が表示される。
（注文処理について）
図３に示す商品選択画面Ｆ２の画像Ａ２１がタッチされると、画面制御部３５は、画面情報マスタＭ３１内の商品選択画面Ｆ２の画面情報を参照して、タッチ位置に相当するセルのセル情報を検索する。ここでは、処理内容「注文処理」、商品ＩＤ「Ｇ０１」、画面ＩＤ「Ｍ３０」などが検索されたとする。画面制御部３５は、検索された商品ＩＤ「Ｇ０１」に対応する商品名「ソーセージ」を商品マスタＭ３４から検索する。また、画面制御部３５は、検索された画面ＩＤ「Ｍ３０」の画面情報を参照して、画像ファイルのファイル名「Ｏｒｄｅｒ．ｊｐｇ」を画面情報マスタＭ３１から検索し、画像マスタＭ３２から画像ファイルＱ３を検索する。さらに、画面制御部３５は、検索された商品名「ソーセージ」と画像ファイルＱ３、並びに注文個数「１」を表示処理部３４に通知する。このとき、画面制御部３５は、商品名「ソーセージ」と注文個数「１」を注文情報記憶手段（図示省略）に記憶しておく。表示処理部３４は、画像ファイルＱ３、商品名「ソーセージ」、注文個数「１」をディスプレイ３１に表示する。ディスプレイ３１には、図４に示した注文確認画面Ｆ３が表示される。なお、注文個数「１」は、注文確認画面Ｆ３の画面情報に定義されているものとする。
客は、注文確認画面Ｆ３を閲覧して注文内容を確認する。その際、注文個数を変更することができる。例えば、客が注文確認画面Ｆ３のエリアＡ３１をタッチすると、画面制御部３５は、注文確認画面Ｆ３の画面情報のエリアＡ３１に相当するセルのセル情報に基づいて、注文情報記憶手段に記憶されている注文個数「１」を「２」に更新すると共に、注文個数「２」を表示処理部３４に通知する。表示処理部３４は、注文個数欄Ｕ３２に「２」を表示する。
客が注文確認画面Ｆ３のエリアＡ３３をタッチすると、画面制御部３５は、注文確認画面Ｆ３の画面情報のエリアＡ３３に相当するセル情報に基づいて、注文情報記憶手段に記憶されている商品名と注文個数からなる注文情報を注文処理部３６に通知する。注文処理部３６は、注文情報を注文情報データベースＤＢ３１に記憶する。また、注文処理部３６は、注文情報をテーブル番号記憶部に記憶されているテーブル番号と共にサーバ２０に送信する。
サーバ２０は、受信した注文情報を注文管理情報データベースＤＢ２１に記憶すると共に、厨房端末４０に送信する。また、サーバ２０は、注文情報から代金合計額を算出し、売上管理情報データベースＤＢ２２に記憶する。
厨房の料理人は、厨房端末４０に表示された注文情報を見て調理をする。なお、料理人が、厨房端末４０に表示された注文情報の中から調理を開始する料理を選択すると、調理の開始が厨房端末４０からサーバ２０に通知され、注文管理情報データベースＤＢ２１内の調理状況が「未調理」から「調理中」に更新される。また、調理が完了した際にもその旨が厨房端末４０からサーバ２０に送信され、注文管理情報データベースＤＢ２１内の調理状況が「調理中」から「調理済」に更新されると共に、配膳状況も「未配膳」から「配膳待」に更新される。店員は、調理済の商品（料理）を配膳して店員端末６０を操作すると、配膳が完了した旨が店員端末６０からサーバ２０に送信され、注文管理情報データベースＤＢ２１内の配膳状況が「配膳待」から「配膳済」に更新される。
（精算処理について）
図２に示す初期画面Ｆ１のエリアＡ１２がタッチされると、画面制御部３５は、画面情報マスタＭ３１内の初期画面Ｆ１の画面情報を参照して、タッチ位置に相当するセルのセル情報を検索する。ここでは、処理内容「精算処理」が検索されたとする。画面制御部３５は、精算処理部３７に処理依頼を通知する。精算処理部３７は、テーブル番号記憶手段に記憶されているテーブル番号を含む精算依頼情報をサーバ２０に送信する。
サーバ２０は、受信した精算依頼情報に含まれるテーブル番号をもとに売上管理情報データベースＤＢ２２を検索して代金合計額を読み出し、会計端末５０に送信する。会計端末のディスプレイには、サーバ２０から受信した代金合計額が表示され、店員は会計端末５０に表示された代金を客から受取る。
（呼出処理について）
図２の初期画面Ｆ１のエリアＡ１３がタッチされると、画面制御部３５は、画面情報マスタＭ３１内の初期画面Ｆ１の画面情報を参照して、タッチ位置に相当するセルのセル情報を検索する。ここでは、処理内容「呼出処理」が検索されたとする。画面制御部３５は、呼出処理部３８に処理依頼を通知する。呼出処理部３８は、テーブル番号記憶手段に記憶されているテーブル番号を含む呼出依頼情報をサーバ２０に送信する。
サーバ２０は、受信した呼出依頼情報に含まれるテーブル番号を店員端末６０に送信する。店員端末６０は、そのディスプレイにテーブル番号を表示させて、客が呼んでいる旨を店員に通知する。
（コンテンツ処理について）
図２の初期画面Ｆ１のエリアＡ１４がタッチされると、画面制御部３５は、画面情報マスタＭ３１内の初期画面Ｆ１の画面情報を参照して、タッチ位置に相当するセルのセル情報を検索する。ここでは、処理内容「コンテンツ処理」とコンテンツＩＤが検索されたとする。画面制御部３５は、検索されたコンテンツＩＤに対応するコンテンツをコンテンツマスタＭ３３から検索して、表示処理部３４に通知する。表示処理部３４は、通知されたコンテンツをディスプレイ３１に表示する。
このように、セルフオーダー端末３０は、本装置１０により編集された画面情報を参照しながら、ディスプレイ３１に画面やコンテンツを表示し、また、ディスプレイ３１がタッチされたときにタッチ位置に応じた処理を実行する。セルフオーダーシステムは、セルフオーダー端末３０がタッチ位置に応じた処理により生成した各種情報を、サーバ２０を介して、厨房端末４０，会計端末５０，店員端末６０に送信する。
なお、以上説明した実施の形態では、セルフオーダー端末３０に表示される画面の画面情報を編集する場合を例としたが、厨房端末４０，会計端末５０，店員端末６０などに表示される画面の画面情報を編集する場合にも本発明は適用可能である。
産業上の利用の可能性
本発明は、セルフオーダーシステムを構成する端末の他に、飲料水やタバコなどの自動販売機、鉄道や航空機などのチケット販売機、あるいは、いわゆるＫＩＯＳＫ端末など、タッチパネルを備えた情報処理端末に表示される画面の画面情報の編集に適用することができる。
【図１】
0003882940.tif 000002
【図２】
0003882940.tif 000003
【図３】
0003882940.tif 000004
【図４】
0003882940.tif 000005
【図５】
0003882940.tif 000006
【図６】
0003882940.tif 000007
【図７】
0003882940.tif 000008
【図８】
0003882940.tif 000009
【図９】
0003882940.tif 000010
【図１０】
0003882940.tif 000011
【図１１】
0003882940.tif 000012
【図１２】
0003882940.tif 000013
【図１３】
0003882940.tif 000014
【図１４】
0003882940.tif 000015
【図１５】
0003882940.tif 000016
【図１６】
0003882940.tif 000017
【図１７】
0003882940.tif 000018
【図１８】
0003882940.tif 000019
【図１９】
0003882940.tif 000020
【図２０】
0003882940.tif 000021
【図２１】
0003882940.tif 000022